(57)【要約】【課題】ダンパプレートの開閉操作を行う操作部材の操作時に、明確なクリック感（節度感）を付与するとともにクリック感に応じた操作音を付与することが可能であり、操作部材の操作荷重を適正且つ容易に設定することが可能なレジスタを提供する。【解決手段】第１円弧状壁部２３の内周面に取り付けられた第１磁性シート２６及び第２円弧状壁部２７の外周面に取り付けられた第２磁性シート２８に、Ｎ極とＳ極が交互に所定の着磁ピッチで連続して形成され、ノブプレート７が第１磁性シート２６のＮ極又はＳ極と第２磁性シート２８のＳ極又はＮ極とが対向する第１状態から第１磁性シート２６のＮ極又はＳ極と第２磁性シート２８のＮ極又はＳ極とが対向する第２状態を経て第１状態まで回動された際に、第２状態で両磁性シート間に発生する磁性反発力と第１状態で両磁性シート間に発生する磁性吸引力との変化に基づき、ノブプレート７にクリック感を付与する。【選択図】図４
2015147561.tif 000002
【特許請求の範囲】
【請求項１】
通風路を有する筒状のリテーナと、
前記リテーナにて対向する一対の側壁間で回動可能に支持されるとともにリテーナの通風路の開閉を行うダンパプレートと、
前記ダンパプレートの一端部が固定されるとともに、前記一対の側壁の内一方にて回動可能に取り付けられる保持部材と、
前記リテーナに回動可能に取り付けられた円形状の操作部材と、
前記保持部材と操作部材との間に連結されたリンク部材とを備え、
前記操作部材の回転操作により前記リンク部材が移動されるとともに前記保持部材が回動されることに基づき、前記ダンパプレートが前記リテーナの内部で回動されてリテーナの通風路を開閉するレジスタにおいて、
前記操作部材における第１円弧状壁部の一面に取り付けられた第１磁性シートと、
前記第１円弧状壁部に対向して前記リテーナに形成された第２円弧状壁部の一面に取り付けられ、前記第１磁性シートと対向する第２磁性シートとを備え、
前記第１磁性シート及び第２磁性シートには、Ｎ極とＳ極が交互に所定の着磁ピッチで連続して形成されており、
前記操作部材の回動時、操作部材は、第１磁性シートのＮ極又はＳ極と第２磁性シートのＳ極又はＮ極とが対向している第１状態で第１磁性シートと第２磁性シートとの間に発生する磁性吸引力に基づき安定保持され、
前記操作部材が前記第１状態から第１磁性シートのＮ極又はＳ極と第２磁性シートのＮ極又はＳ極とが対向する第２状態を経て第１状態まで回動された際に、第２状態で第１磁性シートと第２磁性シートの間に発生する磁性反発力と第１状態で第１磁性シートと第２磁性シートとの間に発生する磁性吸引力との変化に基づき、操作部材にはクリック感が付与されることを特徴とするレジスタ。
【請求項２】
前記第２磁性シートの一部は、前記第２円弧状壁部に取り付けられることなく可動状態にされていることを特徴とする請求項１に記載のレジスタ。
【請求項３】
前記第１磁性シートは前記第１円弧城壁の内周面に取り付けられるとともに、前記第２磁性シートは前記第２円弧状壁部の外周面に取り付けられ、第１磁性シートと第２磁性シートは相互に離間対向されていることを特徴とする請求項１又は請求項２に記載のレジスタ。
【請求項４】
前記第１円弧状壁部の内側面に対向して前記リテーナに形成された第３円弧状壁部を備え、
前記第１磁性シートは前記第１円弧状壁部の内側面に取り付けられるとともに、前記第２磁性シートは前記第３円弧状壁部の外側面に取り付けられ、第１磁性シートと第２磁性シートは相互に離間対向されていることを特徴とする請求項１又は請求項２に記載のレジスタ。
【請求項５】
前記リテーナの前面開口に上下方向に回動可能に配設された水平フィンと、
前記水平フィンの回動と共に回動され、前記リテーナの外側面から離間して設けられた板状部材と、
前記リテーナの外側面に取り付けられた第３磁性シートと、
前記板状部材の内側面に取り付けられた第４磁性シートとを備え、
前記第３磁性シート及び第４磁性シートには、Ｎ極とＳ極が交互に所定の着磁ピッチで連続して形成されており、
前記水平フィンの回動時、前記板状部材は、第３磁性シートのＮ極又はＳ極と第４磁性シートのＳ極又はＮ極とが対向している第３状態で第３磁性シートと第４磁性シートとの間に発生する磁性吸引力に基づき安定保持され、
前記水平フィンが前記第３状態から第３磁性シートのＮ極又はＳ極と第４磁性シートのＮ極又はＳ極とが対向する第４状態を経て第３状態まで回動された際に、第４状態で第３磁性シートと第４磁性シートの間に発生する磁性反発力と第３状態で第３磁性シートと第４磁性シートとの間に発生する磁性吸引力との変化に基づき、水平フィンにはクリック感が付与されることを特徴とする請求項１に記載のレジスタ。
【請求項６】
前記第４磁性シートの一部は、前記板状部材に取り付けられることなく可動状態にされていることを特徴とする請求項５に記載のレジスタ。
【請求項７】
前記リテーナの前面開口にて上下方向に回動可能に配設された水平フィンと、
前記水平フィンを回動支持する支持壁と、
前記支持壁の内側面に取り付けられ第３磁性シートと、
前記第３磁性シートと離間対向するように水平フィンの側部に取り付けられた第４磁性シートとを備え、
前記第３磁性シート及び第４磁性シートには、Ｎ極とＳ極が交互に所定の着磁ピッチで連続して形成されており、
前記水平フィンの回動時、前記水平フィンは、第３磁性シートのＮ極又はＳ極と第４磁性シートのＳ極又はＮ極とが対向している第３状態で第３磁性シートと第４磁性シートとの間に発生する磁性吸引力に基づき安定保持され、
前記水平フィンが前記第３状態から第３磁性シートのＮ極又はＳ極と第４磁性シートのＮ極又はＳ極とが対向する第４状態を経て第３状態まで回動された際に、第４状態で第３磁性シートと第４磁性シートの間に発生する磁性反発力と第３状態で第３磁性シートと第４磁性シートとの間に発生する磁性吸引力との変化に基づき、水平フィンにはクリック感が付与されることを特徴とする請求項１に記載のレジスタ。
【請求項８】
前記第４磁性シートの一部は、前記水平フィンの側部に取り付けられることなく可動状態にされていることを特徴とする請求項７に記載のレジスタ。
【請求項９】
前記リテーナの前面開口にて上下方向に回動可能に配設された水平フィンと、
前記リテーナの内部で左右方向に回動可能に配設された垂直フィンと、
前記水平フィンにスライド可能に配設されるとともに、スライドに基づき前記垂直フィンを回動させる操作ノブと、
前記水平フィンの前端部に取り付けられた第５磁性シートと、
前記操作ノブの内側で前記第５磁性シートに離間対向するように取り付けられた第６磁性シートとを備え、
前記第５磁性シート及び第６磁性シートには、Ｎ極とＳ極が交互に所定の着磁ピッチで連続して形成されており、
前記操作ノブのスライド操作時、操作ノブは、第５磁性シートのＮ極又はＳ極と第６磁性シートのＳ極又はＮ極とが対向している第５状態で第５磁性シートと第６磁性シートとの間に発生する磁性吸引力に基づき安定保持され、
前記操作ノブが第５状態から第５磁性シートのＮ極又はＳ極と第６磁性シートのＮ極又はＳ極とが対向する第６状態を経て第５状態までスライドされた際に、第６状態で第５磁性シートと第６磁性シートの間に発生する磁性反発力と第５状態で第５磁性シートと第６磁性シートとの間に発生する磁性吸引力との変化に基づき、操作ノブにはクリック感が付与されることを特徴とする請求項１に記載のレジスタ。
【請求項１０】
前記第６磁性シートの一部は、前記操作ノブの内側に取り付けられることなく可動状態にされていることを特徴とする請求項９に記載のレジスタ。
【発明の詳細な説明】
【技術分野】
【０００１】
本発明は車両のインスツルメントパネルに配設されて温調された空気を車両室内に吹き出すレジスタに関し、特に、レジスタのリテーナ内に回動可能に配設されてリテーナの通風路の開閉を行うダンパプレートの開閉操作を行う操作部材の操作時に、明確なクリック感（節度感）を付与するとともにクリック感に応じた操作音を付与することが可能であり、操作部材の操作荷重を適正且つ容易に設定することが可能なレジスタに関する。
【背景技術】
【０００２】
従来より、リテーナの内部にダンパプレートを回動可能に配設し、ダンパプレートによりリテーナの通風路を開閉することにより空気を吹き出したり、吹出の停止を行うように構成された各種のレジスタが提案されている。
【０００３】
例えば、特開２００１−１８２９９９号公報には、リテーナの側面に、回動軸の回りにアーム部を有するダンパノブを回動可能に配置し、また、リテーナ内で回動可能に配置されたダンパプレートの軸が固定されたダンパアームを回動可能に配置し、ダンパノブのアーム部の先端に形成された連結ピンをダンパアームの長孔部に遊嵌して連動可能に構成されたレジスタが記載されている。
【０００４】
前記のように構成されたレジスタでは、図２に示すように、ダンパプレートがリテーナの通風路を閉塞している状態でダンパノブを下方に回動すると、アーム部が回動軸の回りに上方へ回動される。これにより、アーム部の連結ピンも長孔内を上方へ移動されることから、ダンパアームは時計方向に回転するとともにダンパプレートも時計方向に回動される。この結果、ダンパプレートはリテーナの通風路を開放する。
【０００５】
前記したレジスタにおいては、ダンパノブの回動操作時にダンパプレートの開閉量を適正に調整できるようにすることが望まれており、これに基づきダンパノブの回動量を伝達するために、ダンパノブを所定量回動した際にクリック感を使用者に付与する構成が提案されている。
【０００６】
例えば、特開２００１−１２１９５７号公報には、ダンパノブとダンパプレートの軸との間に第一歯車及び第二歯車を介在させるとともに第一歯車又は第二歯車を弾性変形可能に形成し、ダンパノブの操作に基づくダンパプレートの閉鎖時又は開放時に第一歯車又は第二歯車が弾性変形することに基づき、ダンパノブの操作に節度感を付与するように構成した空気吹出調整用レジスタが記載されている。
【０００７】
また、特開２００７−１９１１００号公報には、リテーナ内上下方向に回動可能に支持されるバレルの内部にて、複数のフィンを左右方向に回動可能に支持し、複数フィンの内の操作フィンを操作して各フィンによりリテーナの通風路を閉鎖する際に、操作フィンのストッパピンが軸受部材の凸部を乗り越えることに基づき、使用者に節度感を付与する空気吹出調整用レジスタが記載されている。
【０００８】
更に、特開２０１３−１８０７０８号公報には、ダイアルノブの中心部にゴム状弾性体等の操作荷重付与材からボス部を形成し、かかるボス部にリテーナの底面に突設された支軸を嵌め込むことにより、ダイアルノブの回転操作時に、支軸とボス部の操作荷重付与材との摩擦抵抗に基づき適度な回転負荷（操作荷重）が生じるように構成されたレジスタのダンパ装置が記載されている。
【先行技術文献】
【特許文献】
【０００９】
【特許文献１】特開２００１−１８２９９９号公報
【特許文献２】特開２００１−１２１９５７号公報
【特許文献３】特開２００７−１９１１００号公報
【特許文献３】特開２０１３−１８０７０８号公報
【発明の概要】
【発明が解決しようとする課題】
【００１０】
前記特許文献２に記載された空気吹出調整用レジスタでは、ダンパノブの操作に基づくダンパプレートの閉鎖時又は開放時に第一歯車又は第二歯車が弾性変形することに基づき、ダンパノブの操作に節度感を付与するものであるが、ダンパノブの操作に節度感を付与するために、ダンパノブとダンパプレートの軸との間に弾性変形可能な２つの歯車を介在させる必要がある。このような構成では、ダンパプレートの回転機構が複雑なものとなり、歯車間の調整が煩雑で高コスト化も招来してしまう。
【００１１】
また、特許文献３に記載された空気吹出調整用レジスタでは、操作フィンの操作により複数の各フィンを介してリテーナの通風路を閉鎖する際に、操作フィンのストッパピンが軸受部材の凸部を乗り越えることに基づき、使用者に節度感を付与するものであるが、かかる節度感を付与するために、操作フィンにストッパビンを形成するとともに軸受部材に凸部を形成する必要がある。かかる構成においても、各フィンの支持構造が複雑化してしまい、高コスト化を招来してしまう。
【００１２】
更に、特許文献３に記載されたレジスタのダンパ装置では、ダイアルノブの中心部にゴム状弾性体等の操作荷重付与材からボス部を形成するとともに、ボス部にリテーナの底面に突設された支軸を嵌め込むことにより、ダイアルノブの回転操作時時に、支軸とボス部の操作荷重付与材との摩擦抵抗に基づき適度な回転負荷（操作荷重）が生じるように構成されているが、ダイアルノブに適度な操作荷重を付与するために、ダイアルノブのボス部をゴム状弾性体等の操作荷重付与材から形成する必要があり、その成形が煩雑で高コスト化を招来してしまうものである。
【００１３】
本発明は前記従来技術の問題点を解消するためになされたものであり、ダンパプレートの開閉操作を行う操作部材の操作時に、明確なクリック感（節度感）を付与するとともにクリック感に応じた操作音を付与することが可能であり、操作部材の操作荷重を適正且つ容易に設定することが可能なレジスタを提供することを目的とする。
【課題を解決するための手段】
【００１４】
前記目的を達成するため請求項１に係るレジスタは、通風路を有する筒状のリテーナと、前記リテーナにて対向する一対の側壁間で回動可能に支持されるとともにリテーナの通風路の開閉を行うダンパプレートと、前記ダンパプレートの一端部が固定されるとともに、前記一対の側壁の内一方にて回動可能に取り付けられる保持部材と、前記リテーナに回動可能に取り付けられた円形状の操作部材と、前記保持部材と操作部材との間に連結されたリンク部材とを備え、前記操作部材の回転操作により前記リンク部材が移動されるとともに前記保持部材が回動されることに基づき、前記ダンパプレートが前記リテーナの内部で回動されてリテーナの通風路を開閉するレジスタにおいて、前記操作部材における第１円弧状壁部の一面に取り付けられた第１磁性シートと、前記第１円弧状壁部に対向して前記リテーナに形成された第２円弧状壁部の一面に取り付けられ、前記第１磁性シートと対向する第２磁性シートとを備え、前記第１磁性シート及び第２磁性シートには、Ｎ極とＳ極が交互に所定の着磁ピッチで連続して形成されており、前記操作部材の回動時、操作部材は、第１磁性シートのＮ極又はＳ極と第２磁性シートのＳ極又はＮ極とが対向している第１状態で第１磁性シートと第２磁性シートとの間に発生する磁性吸引力に基づき安定保持され、前記操作部材が前記第１状態から第１磁性シートのＮ極又はＳ極と第２磁性シートのＮ極又はＳ極とが対向する第２状態を経て第１状態まで回動された際に、第２状態で第１磁性シートと第２磁性シートの間に発生する磁性反発力と第１状態で第１磁性シートと第２磁性シートとの間に発生する磁性吸引力との変化に基づき、操作部材にはクリック感が付与されることを特徴とする。
【００１５】
請求項２に係るレジスタは、請求項１のレジスタにおいて、前記第２磁性シートの一部は、前記第２円弧状壁部に取り付けられることなく可動状態にされていることを特徴とする。
【００１６】
請求項３に係るレジスタは、請求項１又は請求項２のレジスタにおいて、前記第１磁性シートは前記第１円弧状壁部の内周面に取り付けられるとともに、前記第２磁性シートは前記第２円弧状壁部の外周面に取り付けられ、第１磁性シートと第２磁性シートは相互に離間対向されていることを特徴とする。
【００１７】
請求項４に係るレジスタは、請求項１又は請求項２のレジスタにおいて、前記第１円弧状壁部の内側面に対向して前記リテーナに形成された第３円弧状壁部を備え、前記第１磁性シートは前記第１円弧状壁部の内側面に取り付けられるとともに、前記第２磁性シートは前記第３円弧状壁部の外側面に取り付けられ、第１磁性シートと第２磁性シートは相互に離間対向されていることを特徴とする．
【００１８】
請求項５に係るレジスタは、請求項１のレジスタにおいて、前記リテーナの前面開口に上下方向に回動可能に配設された水平フィンと、前記水平フィンの回動と共に回動され、前記リテーナの外側面から離間して設けられた板状部材と、前記リテーナの外側面に取り付けられた第３磁性シートと、前記板状部材の内側面に取り付けられた第４磁性シートとを備え、前記第３磁性シート及び第４磁性シートには、Ｎ極とＳ極が交互に所定の着磁ピッチで連続して形成されており、前記水平フィンの回動時、前記板状部材は、第３磁性シートのＮ極又はＳ極と第４磁性シートのＳ極又はＮ極とが対向している第３状態で第３磁性シートと第４磁性シートとの間に発生する磁性吸引力に基づき安定保持され、前記水平フィンが前記第３状態から第３磁性シートのＮ極又はＳ極と第４磁性シートのＮ極又はＳ極とが対向する第４状態を経て第３状態まで回動された際に、第３状態で第３磁性シートと第４磁性シートの間に発生する磁性反発力と第４状態で第３磁性シートと第４磁性シートとの間に発生する磁性吸引力との変化に基づき、水平フィンにはクリック感が付与されることを特徴とする。
【００１９】
請求項６に係るレジスタは、請求項５のレジスタにおいて、前記第４磁性シートの一部は、前記板状部材に取り付けられることなく可動状態にされていることを特徴とする。
【００２０】
請求項７に係るレジスタは、請求項１のレジスタにおいて、前記リテーナの前面開口にて上下方向に回動可能に配設された水平フィンと、前記水平フィンを回動支持する支持壁と、前記支持壁の内側面に取り付けられた第３磁性シートと、前記第３磁性シートと離間対向するように水平フィンの側部に取り付けられた第４磁性シートとを備え、前記第３磁性シート及び第４磁性シートには、Ｎ極とＳ極が交互に所定の着磁ピッチで連続して形成されており、前記水平フィンの回動時、前記水平フィンは、第３磁性シートのＮ極又はＳ極と第４磁性シートのＳ極又はＮ極とが対向している第３状態で第３磁性シートと第４磁性シートとの間に発生する磁性吸引力に基づき安定保持され、前記水平フィンが前記第３状態から第３磁性シートのＮ極又はＳ極と第４磁性シートのＮ極又はＳ極とが対向する第４状態を経て第３状態まで回動された際に、第４状態で第３磁性シートと第４磁性シートの間に発生する磁性反発力と第３状態で第３磁性シートと第４磁性シートとの間に発生する磁性吸引力との変化に基づき、水平フィンにはクリック感が付与されることを特徴とする。
【００２１】
請求項８に係るレジスタは、請求項７のレジスタにおいて、前記第４磁性シートの一部は、前記水平フィンの側部に取り付けられることなく可動状態にされていることを特徴とする。
【００２２】
請求項９に係るレジスタは、請求項１のレジスタにおいて、前記リテーナの前面開口にて上下方向に回動可能に配設された水平フィンと、前記リテーナの内部で左右方向に回動可能に配設された垂直フィンと、前記水平フィンにスライド可能に配設されるとともに、スライドに基づき前記垂直フィンを回動させる操作ノブと、前記水平フィンの前端部に取り付けられた第５磁性シートと、前記操作ノブの内側で前記第５磁性シートに離間対向するように取り付けられた第６磁性シートとを備え、前記第５磁性シート及び第６磁性シートには、Ｎ極とＳ極が交互に所定の着磁ピッチで連続して形成されており、前記操作ノブのスライド操作時、操作ノブは、第５磁性シートのＮ極又はＳ極と第６磁性シートのＳ極又はＮ極とが対向している第５状態で第５磁性シートと第６磁性シートとの間に発生する磁性吸引力に基づき安定保持され、前記操作ノブが第５状態から第５磁性シートのＮ極又はＳ極と第６磁性シートのＮ極又はＳ極とが対向する第６状態を経て第５状態までスライドされた際に、第６状態で第５磁性シートと第６磁性シートの間に発生する磁性反発力と第５状態で第５磁性シートと第６磁性シートとの間に発生する磁性吸引力との変化に基づき、操作ノブにはクリック感が付与されることを特徴とする。
【００２３】
請求項１０に係るレジスタは、請求項９のレジスタにおいて、前記第６磁性シートの一部は、前記操作ノブの内側に取り付けられることなく可動状態にされていることを特徴とする。
【発明の効果】
【００２４】
請求項１に係るレジスタでは、操作部材の第１円弧状壁部の一面に取り付けられた第１磁性シート及びリテーナに形成された第２円弧状壁部の一面に取り付けられた第２磁性シートには、Ｎ極とＳ極が交互に所定の着磁ピッチで連続して形成されており、操作部材の回動時、操作部材は、第１磁性シートのＮ極又はＳ極と第２磁性シートのＳ極又はＮ極とが対向している第１状態で第１磁性シートと第２磁性シートとの間に発生する磁性吸引力に基づき安定保持されるとともに、操作部材が第１状態から第１磁性シートのＮ極又はＳ極と第２磁性シートのＮ極又はＳ極とが対向する第２状態を経て第１状態まで回動された際に、第２状態で第１磁性シートと第２磁性シートの間に発生する磁性反発力と第１状態で第１磁性シートと第２磁性シートとの間に発生する磁性吸引力との変化に基づき、操作部材にはクリック感が付与されるので、操作部材の第１円弧状壁部の一面とリテーナの第２円弧状壁部の一面とに、第１磁性シートと第２磁性シートが相互に対向するように第１磁性シート及び第２磁性シートを取り付けるだけの極めて簡単な構成により、ダンパプレートを回動させるべく操作部材を回転操作する際に、操作部材に対して明確なクリック感を付与することができる。
また、操作部材の回動時、操作部材は、第１磁性シートのＮ極又はＳ極と第２磁性シートのＳ極又はＮ極とが対向している第１状態で第１磁性シートと第２磁性シートとの間に発生する磁性吸引力に基づき安定保持されているので、磁性吸引力に基づき操作部材の操作荷重を適正且つ容易に設定することができる。
【００２５】
請求項２に係るレジスタでは、リテーナの第２円弧状壁部の一面に取り付けられた磁性シートの一部は、第２円弧状壁部に取り付けられることなく可動状態にされているので、第１磁性シートのＮ極又はＳ極と第２磁性シートのＮ極又はＳ極とが対向する第２状態では、第２磁性シートと第１磁性シートとの間には磁性反発力が作用し、第２磁性シートの一部は第１磁性シートから離間した状態にある。かかる状態から操作部材を回動させて第１磁性シートのＮ極又はＳ極と第２磁性シートのＳ極又はＮ極とが対向する第１状態に移行すると、第２磁性シートの一部は、磁性吸引力に基づき第１磁性シートに衝突吸着される。この時、第２磁性シートの一部と第１磁性シートとの間で衝突音が発生する。従って、操作部材の回動に基づき第１磁性シートと第２磁性シートとの間で連続的に第１状態と第２状態とを繰り返すことにより、前記したように操作部材にはクリック感が付与されると同時に第２磁性シートの一部が第１磁性シートに衝突する衝突音による操作音を発生付与することができる。
【００２６】
ここに、請求項３に係るレジスタでは、第１磁性シートは第１円弧状壁部の内周面に取り付けられるとともに、第２磁性シートは第２円弧状壁部の外周面に取り付けられ、第１磁性シートと第２磁性シートは相互に離間対向されており、また、請求項４に係るレジスタでは、第１円弧状壁部の内側面に対向してリテーナに形成された第３円弧状壁部を備え、第１磁性シートは第１円弧状壁部の内側面に取り付けられるとともに、第２磁性シートは第３円弧状壁部の外側面に取り付けられ、第１磁性シートと第２磁性シートは相互に離間対向されている。いずれのレジスタにおいても、操作部材の第１磁性シートとリテーナの第２磁性シートとを相互に離間対向して配置するにつき、最適な取付位置にて第１磁性シートと第２磁性シートとを配置することができ、これによりレジスタの他の構成に影響を与えることはない。
【００２７】
請求項５に係るレジスタでは、リテーナの外側面に取り付けられる第３磁性シート及びリテーナの前面開口に上下方向に回動可能に配設された水平フィンの回動と共に回動されるとともにリテーナの外側面から離間して設けられた板状部材の内側面に取り付けられる第４磁性シートには、Ｎ極とＳ極が交互に所定の着磁ピッチで連続して形成されており、水平フィンの回動時、板状部材は、第３磁性シートのＮ極又はＳ極と第４磁性シートのＳ極又はＮ極とが対向している第３状態で第３磁性シートと第４磁性シートとの間に発生する磁性吸引力に基づき安定保持され、水平フィンが第３状態から第３磁性シートのＮ極又はＳ極と第４磁性シートのＮ極又はＳ極とが対向する第４状態を経て第３状態まで回動された際に、第４状態で第３磁性シートと第４磁性シートの間に発生する磁性反発力と第３状態で第３磁性シートと第４磁性シートとの間に発生する磁性吸引力との変化に基づき、水平フィンにはクリック感が付与されるので、リテーナの外側面と板状部材の内側面とに第３磁性シートと第４磁性シートとが相互に対向するように第３磁性シート及び第４磁性シートを取り付けるだけの極めて簡単な構成により、水平フィンの回動操作時に水平フィンに対して明確なクリック感を付与することができる。
また、水平フィンの回動時、板状部材は、第３磁性シートのＮ極又はＳ極と第４磁性シートのＳ極又はＮ極とが対向している第３状態で第３磁性シートと第４磁性シートとの間に発生する磁性吸引力に基づき安定保持されているので、磁性吸引力に基づき水平フィンの操作荷重を適正且つ容易に設定することができる。
【００２８】
請求項６に係るレジスタでは、第４磁性シートの一部は、板状部材に取り付けられることなく可動状態にされているので、第３磁性シートのＮ極又はＳ極と第４磁性シートのＮ極又はＳ極とが対向する第４状態では、第４磁性シートと第３磁性シートとの間には磁性反発力が作用し、第４磁性シートの一部は第３磁性シートから離間した状態にある。かかる状態から水平フィンを回動させて第３磁性シートのＮ極又はＳ極と第４磁性シートのＳ極又はＮ極とが対向する第３状態に移行すると、第４磁性シートの一部は、磁性吸引力に基づき第３磁性シートに衝突吸着される。この時、第４磁性シートの一部と第３磁性シートとの間で衝突音が発生する。従って、水平フィンの回動に基づき第３磁性シートと第４磁性シートとの間で連続的に第３状態と第４状態とを繰り返すことにより、前記したように水平フィンにはクリック感が付与されると同時に第４磁性シートの一部が第３磁性シートに衝突する衝突音による操作音を発生付与することができる。
【００２９】
請求項７に係るレジスタでは、水平フィンを回動支持する支持壁の内側面に取り付けられた第３磁性シート及び第３磁性シートと離間対向するように水平フィンの側部に取り付けられた第４磁性シートには、Ｎ極とＳ極が交互に所定の着磁ピッチで連続して形成されており、水平フィンの回動時、水平フィンは、第３磁性シートのＮ極又はＳ極と第４磁性シートのＳ極又はＮ極とが対向している第３状態で第３磁性シートと第４磁性シートとの間に発生する磁性吸引力に基づき安定保持され、水平フィンが第３状態から第３磁性シートのＮ極又はＳ極と第４磁性シートのＮ極又はＳ極とが対向する第４状態を経て第３状態まで回動された際に、第４状態で第３磁性シートと第４磁性シートの間に発生する磁性反発力と第３状態で第３磁性シートと第４磁性シートとの間に発生する磁性吸引力との変化に基づき、水平フィンにはクリック感が付与されるので、支持壁の内側面と水平フィンの側面とに第３磁性シートと第４磁性シートとが相互に対向するように第３磁性シート及び第４磁性シートを取り付けるだけの極めて簡単な構成により、水平フィンの回動操作時に水平フィンに対して明確なクリック感を付与することができる。
また、水平フィンの回動時、水平フィンは、第３磁性シートのＮ極又はＳ極と第４磁性シートのＳ極又はＮ極とが対向している第３状態で第３磁性シートと第４磁性シートとの間に発生する磁性吸引力に基づき安定保持されているので、磁性吸引力に基づき水平フィンの操作荷重を適正且つ容易に設定することができる。
【００３０】
請求項８に係るレジスタでは、第４磁性シートの一部は、水平フィンの側部に取り付けられることなく可動状態にされているので、第３磁性シートのＮ極又はＳ極と第４磁性シートのＮ極又はＳ極とが対向する第４状態では、第４磁性シートの一部と第３磁性シートとの間には磁性反発力が作用し、第４磁性シートの一部は第３磁性シートから離間した状態にある。かかる状態から水平フィンを回動させて第３磁性シートのＮ極又はＳ極と第４磁性シートのＳ極又はＮ極とが対向する第３状態に移行すると、第４磁性シートの一部は、磁性吸引力に基づき第３磁性シートに衝突吸着される。この時、第４磁性シートの一部と第３磁性シートとの間で衝突音が発生する。従って、水平フィンの回動に基づき第３磁性シートと第４磁性シートとの間で連続的に第３状態と第４状態とを繰り返すことにより、前記したように水平フィンにはクリック感が付与されると同時に第４磁性シートの一部が第３磁性シートに衝突する衝突音による操作音を発生付与することができる。
【００３１】
請求項９に係るレジスタでは、リテーナの前面開口にて上下方向に回動可能に配設された水平フィンの前端部に取り付けられた第５磁性シート及び水平フィンにスライド可能に配設されるとともにスライドに基づき垂直フィンを回動させる操作ノブの内側で第５磁性シートに離間対向するように取り付けられた第６磁性シートには、Ｎ極とＳ極が交互に所定の着磁ピッチで連続して形成されており、操作ノブのスライド操作時、操作ノブは、第５磁性シートのＮ極又はＳ極と第６磁性シートのＳ極又はＮ極とが対向している第５状態で第５磁性シートと第６磁性シートとの間に発生する磁性吸引力に基づき安定保持され、操作ノブが第５状態から第５磁性シートのＮ極又はＳ極と第６磁性シートのＮ極又はＳ極とが対向する第６状態を経て第５状態までスライドされた際に、第６状態で第５磁性シートと第６磁性シートの間に発生する磁性反発力と第５状態で第５磁性シートと第６磁性シートとの間に発生する磁性吸引力との変化に基づき、操作ノブにはクリック感が付与されるので、水平フィンの前端部と操作ノブの内側とに第５磁性シートと第６磁性シートとが相互に対向するように第５磁性シート及び第６磁性シートを取り付けるだけの極めて簡単な構成により、操作ノブのスライド操作時に操作ノブに対して明確なクリック感を付与することができる。
また、操作ノブのスライド操作時、操作ノブは、第５磁性シートのＮ極又はＳ極と第６磁性シートのＳ極又はＮ極とが対向している第５状態で第５磁性シートと第６磁性シートとの間に発生する磁性吸引力に基づき安定保持されているので、磁性吸引力に基づき操作ノブの操作荷重を適正且つ容易に設定することができる。
【００３２】
請求項１０に係るレジスタでは、第６磁性シートの一部は、操作ノブの内側に取り付けられることなく可動状態にされているので、第５磁性シートのＮ極又はＳ極と第６磁性シートのＮ極又はＳ極とが対向する第６状態では、第６磁性シートと第５磁性シートとの間には磁性反発力が作用し、第６磁性シートの一部は第５磁性シートから離間した状態にある。かかる状態から操作ノブをスライドさせて第５磁性シートのＮ極又はＳ極と第６磁性シートのＳ極又はＮ極とが対向する第５状態に移行すると、第６磁性シートの一部は、磁性吸引力に基づき第５磁性シートに衝突吸着される。この時、第６磁性シートの一部と第５磁性シートとの間で衝突音が発生する。従って、操作ノブのスライドに基づき第５磁性シートと第６磁性シートとの間で連続的に第５状態と第６状態とを繰り返すことにより、前記したように操作ノブにはクリック感が付与されると同時に第６磁性シートの一部が第５磁性シートに衝突する衝突音による操作音を発生付与することができる。
【図面の簡単な説明】
【００３３】
【図１】第１実施形態に係るレジスタの正面図である。
【図２】レジスタの背面斜視図である。
【図３】レジスタの背面図である。
【図４】レジスタの側面図である。
【図５】操作部材側に取り付けられる第１磁性シート及びリテーナ側に取り付けられる第２磁性シートの説明図である。
【図６】操作部材側に取り付けられた第１磁性シートとリテーナ側に取り付けられた第２磁性シートとが相互に磁性吸引している状態を示す説明図である。
【図７】操作部材側に取り付けられた第１磁性シートとリテーナ側に取り付けられた第２磁性シートとが相互に磁性反発している状態を示す説明図である。
【図８】レジスタの模式平断面図である。
【図９】リテーナの外側面に取り付けられた第３磁性シートと水平フィンの回動軸に固定される板状部材の内側面に取り付けられた第４磁性シートとの相関位置関係を模式的に示す説明図である。
【図１０】第３磁性シートと第４磁性シートの平面図である。
【図１１】リテーナの外側面に取り付けられた第３磁性シートと水平フィンの回動軸に固定される板状部材の内側面に取り付けられた第４磁性シートとが相互に磁性吸引している状態を示す説明図である。
【図１２】リテーナの外側面に取り付けられた第３磁性シートと水平フィンの回動軸に固定される板状部材の内側面に取り付けられた第４磁性シートとが相互に磁性反発している状態を示す説明図である。
【図１３】水平フィンの前端部に取り付けられた第５磁性シートと水平フィンにスライド可能に配設された操作ノブの内側に取り付けられた第６磁性シートとの相関位置関係を模式的に示す説明図である。
【図１４】水平フィンの前端部に取り付けられた第５磁性シートと水平フィンにスライド可能に配設された操作ノブの内側に取り付けられた第６磁性シートとが相互に磁性吸引している状態を示す説明図である。
【図１５】水平フィンの前端部に取り付けられた第５磁性シートと水平フィンにスライド可能に配設された操作ノブの内側に取り付けられた第６磁性シートとが相互に磁性反発している状態を示す説明図である。
【図１６】第２実施形態に係るレジスタの側面図である。
【図１７】第２実施形態に係るレジスタにおいて、操作部材側に取り付けられた第１磁性シートとリテーナ側に取り付けられた第２磁性シートとが相互に磁性吸引している状態を示す説明図である。
【図１８】第２実施形態のレジスタにおいて、操作部材側に取り付けられた第１磁性シートとリテーナ側に取り付けられた第２磁性シートとが相互に磁性反発している状態を示す説明図である。
【図１９】第３実施形態に係るレジスタの側面図である。
【図２０】第３実施形態に係るレジスタにおいて、操作部材側に取り付けられた第１磁性シートとリテーナ側に取り付けられた第２磁性シートとが相互に磁性吸引している状態を示す説明図である。
【図２１】第３実施形態のレジスタにおいて、操作部材側に取り付けられた第１磁性シートとリテーナ側に取り付けられた第２磁性シートとが相互に磁性反発している状態を示す説明図である。
【図２２】第４実施形態に係るレジスタの要部斜視図である。
【図２３】第４実施形態に係るレジスタにおいて、操作部材側に取付られる第１磁性シート及びリテーナ側に取り付けられる第２磁性シートを示す説明図である。
【図２４】第４実施形態に係るレジスタにおいて、操作部材側に取り付けられた第１磁性シートとリテーナ側に貼付された第２磁性シートとが相互に磁性吸引している状態を示す説明図である。
【図２５】第４実施形態のレジスタにおいて、操作部材側に取り付けられた第１磁性シートとリテーナ側に取り付けられた第２磁性シートとが相互に磁性反発している状態を示す説明図である。
【図２６】第５実施形態に係るレジスタの模式平断面図である。
【図２７】リテーナの支持壁の内側面に取り付けられた第３磁性シートと水平フィンの側部に取り付けられた第４磁性シートとが相互に磁性吸引している状態を示す説明図である。
【図２８】リテーナの支持壁の内側面に取り付けられた第３磁性シートと水平フィンの側部に取り付けられた第４磁性シートとが相互に磁性反発している状態を示す説明図である。
【発明を実施するための形態】
【００３４】
以下、本発明に係るレジスタについて、本発明を具体化した第１実施形態乃至第５実施形態に基づき、図面を参照しつつ説明する。
【００３５】
先ず、第１実施形態に係るレジスタについて、図１乃至図１５に基づき説明する。
レジスタ１は、図１、図２示すように、前面側に配置され空気吹出口２が形成されたベゼル３、及び、ベゼル３の後側に取り付けられ空気吹出口２に連通する通風路４を有する断面長方形状の筒状に形成されたリテーナ５を備えている。
【００３６】
ベゼル３は、前面側に湾曲された前面パネル６を有し、前面パネル６には空気吹出口２が形成されている。前面パネル６には、空気吹出口２に隣接して、円板状のノブプレート７の操作部８を外部に露出させるプレート孔９が形成されている。プレート孔９から露出される円形状のノブプレート７の操作部８には、多数の凹凸部が形成され、指等で回転操作する際に滑らないようにされている。
尚、ノブプレート７は、図２に示すように、リテーナ５の側壁１４（図１中右側壁、図２中左側壁）の外側にて、側壁１４から突設された回動軸１４Ａを介して回動可能に支持されている。
【００３７】
ベゼル３内で空気吹出口２の後方近傍位置には、複数（図１では４個）の水平フィン１０が上下方向に回動可能に配置支持されている。上から３番目の水平フィン１０の中央位置には操作ノブ１１が取り付けられており、かかる操作ノブ１１を上下方向に回動させることにより、各水平フィン１０は一体に上下方向に回動される。かかる水平フィン１０の支持機構については公知であるので、ここでは説明を省略する。
【００３８】
各水平フィン１０の後方でリテーナ５の内部における前方位置には、複数（図１では５個）の垂直フィン１２が左右方向に回動可能に支持されており、中央の垂直フィン１２の前端には操作ノブ１１が狭持連結されている。指等により操作ノブ１１を左右方向に移動させると各垂直フィン１２は一体に左右方向に回動される。かかる垂直フィン１２の支持機構については公知であるので、ここでは説明を省略する。
【００３９】
リテーナ５の内部における後方位置には、ダンパプレート１３（図２、図３参照）が、リテーナ５にて相互に対向する一対の側壁１４、１４（図２中左側壁、右側壁）間で回動可能に支持されている。かかるダンパプレート１３は、後述するダンパプレート回動機構を介して回動され、リテーナ５の通風路４の開閉を行う。
【００４０】
ダンパプレート１３は、平面視で略長方形状を有しており、かかるダンパプレート１３の左短辺部（図２参照）には円筒状の保持部材１５（図３参照）が形成されるとともに、右短辺部には軸部１６（図３参照）が形成されている。かかるダンパプレート１３は、保持部材１５がリテーナ５の側壁１４（図２中左側壁）に形成される支持孔（図示せず）に回動可能に取付支持されるとともに、軸部１６がリテーナ５の側壁１４（図２中の右側壁に形成される支持凹部（図示せず）に回動可能に支持されることに基づき、リテーナ５の一対の側壁１４、１４間で回動可能に支持される。
【００４１】
図２において、保持部材１５の左端部からは円筒部１７が延設されており、かかる円筒部１７には、リンク係止部１８が一体に設けられている。リンク係止部１８には、リンク部材１９の端部（図２中右端部）を連結係止するための連結孔２０が形成されている。
【００４２】
リテーナ５の側壁１４に突設された回動軸１４Ａを介して回動可能に取付られるノブプレート７は、図２、図４に示すように、操作部８、操作部８と一体に構成され回動軸１４Ａが挿通される板状部２１、及び、板状部２１の周端縁との間に隙間２２を設けつつ隙間２２を囲むように形成された第１円弧状壁部２３とから形成されている。第１円弧状壁部２３における外側面の下部にはリンク係止部２４が形成され、かかるリンク係止部２４には、リンク部材１９の端部（図２、図４中左端部）を連結係止するための連結孔２５が形成されている。
【００４３】
ここに、図２、図４に示すように、保持部材１５に一体に形成されたリンク係止部１８の連結孔２０にはリンク部材１９の一端部（右端部）が回動可能に連結され、また、リンク部材１９他端部（左端部）はノブプレート７の第１円弧状壁部２３に形成されたリンク係止部２４の連結孔２５に回動可能に連結されている。
【００４４】
ノブプレート７に形成された第１円弧状壁部２３の内周面には、図２、図４に示すように、第１磁性シート２６が取り付けられている。例えば、具体的に、第１磁性シート２６は、両面粘着テープ、接着剤等により第１円弧状壁部２３の内周面に貼付される。以下、「貼付」の語は、同じ意味で使用する。
また、リテーナ５の側壁１４（図２中左側壁）からは、外方に向かって突設された第２円弧状壁部２７が設けられ、かかる第２円弧状壁部２７は、ノブプレート７の第１円弧状壁部２３から離間対向するように配置されるとともに、第２円弧状壁部２７の外周面には第２磁性シート２８が貼付されている。かかる構成に基づき、第１磁性シート２６と第２磁性シート２８とは、相互に離間対向されることとなる。
ここに、第２磁性シート２８においては、図６、図７に示すように、その両端部２８Ａ、２８Ａは第２円弧状壁部２７の外周面に貼付されることなく、若干屈曲された自由端にされて可動状態にされている。両端部２８Ａ、２８Ａ間の固定部２８Ｂは第２円弧状壁部２７の外周面に貼付されている。
【００４５】
ここで、第１磁性シート２６及び第２磁性シート２８について図５に基づき説明する。図５において、第１磁性シート２６には、Ｎ極とＳ極が交互に所定の着磁ピッチＰで形成されている。同様に、第２磁性シート２８には、Ｎ極とＳ極が交互に所定の着磁ピッチＰで形成されている。
【００４６】
尚、前記のような第１磁性シート２６や第２磁性シート２８は、例えば、特開２００１−６８３３７号公報、特開２００３−２９７６３０号公報に記載されている公知の方法で製造することができる。例えば、磁性シートを搬送している間に円柱状永久磁石と接触させることにより、磁性シートの磁性層に所望の着磁ピッチでＮ極とＳ極を交互に形成することが可能である。このとき、着磁ピッチは種々の方法により種々変化させることも可能である。
また、第１磁性シート２６と第２磁性シート２８では、同一の着磁ピッチＰでＮ極とＳ極が交互に形成されているが、第１磁性シート２６と第２磁性シート２８の着磁ピッチは、同一である必要はなく、相互に異なる着磁ピッチでＮ極とＳ極が形成されていても良い。第１磁性シート２６、第２磁性シート２８の着磁ピッチの幅を小さくした場合には、ノブプレート７の単位回動量に対して後述するクリック感が多く得られ、一方、着磁ピッチの幅を大きくした場合には、ノブプレート７の所定回動量に対して得られるクリック感は少なくなる。
【００４７】
前記のように構成されたレジスタ１では、図４に示す状態（この状態では、ダンパプレート１３がリテーナ５の通風路４を開放している状態にある）おいて、ノブプレート７を回動軸１４Ａの回りに下方向に回動させると、リンク部材１９は右方向に移動されるとともに保持部材１５は反時計方向に回動され、ダンパプレート１３も反時計方向に回動される。この結果、リテーナ５の通風路４は、ダンパプレート１３により閉塞される。更にこの状態で、ノブプレート７を回動軸１４Ａの回りに上方向に回動させると、リンク部材１９は左方向に移動されるとともに保持部材１５は時計方向に回動され、ダンパプレート１３も時計方向に回動される。この結果、リテーナ５の通風路４は、ダンパプレート１３により開放される。
【００４８】
前記したノブプレート７の下方向及び上方向の回動動作に伴う一連の動作中において、ノブプレート７に形成された第１円弧状壁部２３の内周面に貼付された第１磁性シート２６は、リテーナ５の側壁１４に突出形成された第２円弧状壁部２７の外周面に貼付された第２磁性シート２８と相互に離間した状態で、円周方向に移動する。
【００４９】
このとき、第１磁性シート２６のＮ極又はＳ極と第２磁性シート２８のＳ極又はＮ極とが対向する状態（以下第１状態と称する）では、第１磁性シート２６と第２磁性シート２８との間に磁性吸引力が発生するので、第２磁性シート２８の両端部２８Ａ、２８Ａは、図６に示すように第１磁性シート２６に磁性吸着される。この状態では、ノブプレート７は、安定的に保持されている。
【００５０】
これに対して、ノブプレート７が回動操作されることにより、前記第１状態から第１磁性シートの２６のＮ極又はＳ極と第２磁性シート２８のＮ極又はＳ極とが対向する状態（以下第２状態と称する）に到達すると、かかる第２状態では、第１磁性シート２６と第２磁性シート２８との間に磁性反発力が発生するので、第２磁性シート２８の両端部２８Ａ、２８Ａは、図７に示すように第１磁性シート２６から反発離間される。
【００５１】
ダンパプレート１３の開閉動作を行う際に、ノブプレート７の回動操作を行うと、前記した第１状態と第２状態とが連続的に交互に繰り返されることとなる。このとき、前記したように、第１状態にて第１磁性シート２６と第２磁性シート２８との間で発生する磁性吸引力、及び、第２状態で第１磁性シート２６との間で発生する磁性反発力との変化が連続的に発生することに基づき、ノブプレート７には連続的にクリック感が付与される。
【００５２】
これにより、ノブプレート７の第１円弧状壁部２３の内周面とリテーナ５の側壁１４に突出形成される第２円弧状壁部２７の外周面とに、第１磁性シート２６と第２磁性シート２８が相互に対向するように第１磁性シート２６及び第２磁性シート２８を貼付するだけの極めて簡単な構成により、ダンパプレート１３を回動させるべくノブプレート７を回転操作する際に、ノブプレート７に対して明確なクリック感を付与することができる。
【００５３】
また、ノブプレート７の回動操作時、ノブプレート７は、第１磁性シート２６のＮ極又はＳ極と第２磁性シート２８のＳ極又はＮ極とが対向している第１状態で第１磁性シート２６と第２磁性シート２８との間に発生する磁性吸引力に基づき安定保持されているので、磁性吸引力に基づきノブプレート７の操作荷重を適正且つ容易に設定することができる。
【００５４】
更に、リテーナ５の第２円弧状壁部２７の外周面に貼付された第２磁性シート２８の両端部２８Ａ、２８Ａは、第２円弧状壁部２７に貼付されることなく可動状態にされているので、第１磁性シート２６のＮ極又はＳ極と第２磁性シート２８のＮ極又はＳ極とが対向する第２状態では、第２磁性シート２８の両端部２８Ａ、２８Ａと第１磁性シート２６との間には磁性反発力が作用し、第２磁性シート２８の両端部２８Ａ、２８Ａは第１磁性シート２６から離間した状態にある。かかる状態からノブプレート７を回動させて第１磁性シート２６のＮ極又はＳ極と第２磁性シート２８のＳ極又はＮ極とが対向する第１状態に移行すると、第２磁性シート２８の両端部２８Ａ、２８Ａは、磁性吸引力に基づき第１磁性シート２６に衝突吸着される。この時、第２磁性シート２８の両端部２８Ａ、２８Ａと第１磁性シート２６との間で衝突音が発生する。従って、ノブプレート７の回動に基づき第１磁性シート２６と第２磁性シート２８との間で連続的に第１状態と第２状態とを繰り返すことにより、前記したようにノブプレート７にはクリック感が連続的に付与されると同時に第２磁性シート２８の両端部２８Ａ、２８Ａが第１磁性シート２６に衝突する衝突音による操作音を発生付与することができる。
【００５５】
続いて、操作ノブ１１を上下方向に操作して水平フィン１０を回動操作する際に、その回動操作に伴って操作ノブ１１にクリック感を発生する構成、及び、水平フィン１０の長尺方向に沿って操作ノブ１１をスライド操作する際に、そのスライド動作に伴って操作ノブ１１にクリック感を発生する機構について、図８乃至図１５に基づき説明する。
【００５６】
先ず、操作ノブ１１を上下方向に操作して水平フィン１０を回動操作する際に、その回動操作に伴って操作ノブ１１にクリック感を発生する構成について説明する。
図８において、リテーナ５の前面開口の両側には、一対の支持壁３０、３０が設けられており、各水平フィン１０の支持軸３１が各支持壁３０、３０に回動可能に支持されている。複数の水平フィン１０の内、操作ノブ１１が取り付けられた水平フィン１０の支持軸３１の一方（図８中左側の支持軸）には、平面視で屈曲形状を有する板状部材３２が固定されている。かかる板状部材３２は、水平フィン１０の回動と共に回動され、リテーナ５における側壁１４の外側面から離間されている。
【００５７】
リテーナ５の前面開口の近傍において、側壁１４（図８中左側壁）の外側面には、図９、図１０に示す湾曲状の第３磁性シート３３が貼付されている。また、板状部材３２の内側面には、図９、図１０に示す第３磁性シート３３と同一曲率を有する第４磁性シート３４が貼付されている。側壁１４の外側面に貼付されて固定される第３磁性シート３３は、図９、図１０に示すように、水平フィン１０の回動と共に回動される板状部材３２の内側面に貼付される第４磁性シート３４よりも長く形成されており、また、第３磁性シート３３と第４磁性シート３４とは、相互に離間対向している。
【００５８】
尚、第３磁性シート３３及び第４磁性シート３４は、前記した第１磁性シート２６、第２磁性シート２８と同様に、所定着磁ピッチＰでＮ極とＳ極が交互に形成されている。
【００５９】
第４磁性シート３４は、図９、図１１に示すように、その一端部３４Ａ（図９、図１１中上側）は、板状部材３２の内側面に貼付されることなく、若干屈曲された自由端にされて可動状態にされている。一端部３４Ａ以外の残余の固定部３４Ｂは板状部材３２の内側面に貼付されている。
【００６０】
前記構成において、操作ノブ１１を上下方向に操作して水平フィン１０を上下方向に回動させると、これに同期して支持軸３１端部に固定された板状部材３２も上下方向に回動される。これに伴い、板状部材３２の内側面に貼付された第４磁性シート３４は、リテーナ５における側壁１４の外側面に貼付された第３磁性シート３３と離間対向しつつ移動される。
【００６１】
このとき、第３磁性シート３３のＮ極又はＳ極と第４磁性シート３４のＳ極又はＮ極とが対向する状態（以下第３状態と称する）では、第３磁性シート３３と第４磁性シート３４との間に磁性吸引力が発生するので、第４磁性シート３４の一端部３４Ａは、図１１に示すように第３磁性シート３３に磁性吸着される。この状態では、操作ノブ１１は、安定的に保持されている。
【００６２】
これに対して、操作ノブ１１が回動操作されることにより、前記第３状態から第３磁性シートの３３のＮ極又はＳ極と第４磁性シート３４のＮ極又はＳ極とが対向する状態（以下第４状態と称する）に到達すると、かかる第４状態では、第３磁性シート３３と第４磁性シート３４との間に磁性反発力が発生するので、第４磁性シート３４の一端部３４Ａは、図１２に示すように第３磁性シート３３から反発離間される。
【００６３】
このように、操作ノブ１１を上下方向に回動する動作を行うと、前記した第３状態と第４状態とが連続的に交互に繰り返されることとなる。このとき、前記したように、第３状態にて第３磁性シート３３と第４磁性シート３４との間で発生する磁性吸引力、及び、第４状態で第３磁性シート３３と第４磁性シート３４との間で発生する磁性反発力との変化が連続的に発生することに基づき、操作ノブ１１にはクリック感が連続的に付与される。
【００６４】
これにより、リテーナ５の外側面と板状部材３２の内側面とに第３磁性シート３３と第４磁性シート３４とが相互に対向するように第３磁性シート３３及び第４磁性シート３４を貼付するだけの極めて簡単な構成により、水平フィン１０の回動操作時に水平フィン１０から操作ノブ１１に対して明確なクリック感を付与することができる。
また、操作ノブ１１による水平フィン１０の回動時、板状部材３２は、第３磁性シート３３のＮ極又はＳ極と第４磁性シート３４のＳ極又はＮ極とが対向している第３状態で第３磁性シート３３と第４磁性シート３４との間に発生する磁性吸引力に基づき安定保持されているので、磁性吸引力に基づき操作ノブ１１による水平フィン１０の操作荷重を適正且つ容易に設定することができる。
【００６５】
また、第４磁性シート３４の一端部３４Ａは、板状部材３２に貼付されることなく可動状態にされているので、第３磁性シート３３のＮ極又はＳ極と第４磁性シート３４のＮ極又はＳ極とが対向する第４状態では、第４磁性シート３４の一端部３４Ａと第３磁性シート３３との間には磁性反発力が作用し、第４磁性シート３４の一端部３４Ａは第３磁性シート３３から離間した状態にある。かかる状態から操作ノブ１１を介して水平フィン１０を回動させて第３磁性シート３３のＮ極又はＳ極と第４磁性シート３４のＳ極又はＮ極とが対向する第３状態に移行すると、第４磁性シート３４の一端部３４Ａは、磁性吸引力に基づき第３磁性シート３３に衝突吸着される。この時、第４磁性シート３４の一端部３４Ａと第３磁性シート３３との間で衝突音が発生する。従って、水平フィン１０の回動に基づき第３磁性シート３３と第４磁性シート３４との間で連続的に第３状態と第４状態とを繰り返すことにより、前記したように水平フィン１０から操作ノブ１１にはクリック感が付与されると同時に第４磁性シート３４の一端部３４Ａが第３磁性シート３３に衝突する衝突音による操作音を発生付与することができる。
【００６６】
続いて、操作ノブ１１を水平フィン１０の長尺方向に沿ってスライド操作する際に、そのスライド動作に伴って操作ノブ１１にクリック感を発生する機構について、図８、図１３乃至図１５に基づき説明する。
【００６７】
図８において、リテーナ５の前面開口にて上下方向に回動可能に複数の水平フィン１０が配設され、また、水平フィン１０の奥側でリテーナ５の内部には左右方向に回動可能に複数の垂直フィン１２が配設されている。複数の水平フィン１０の内、図１、図１３に示すように、上から３番目の水平フィン１０には、操作ノブ１１が水平フィン１０の長尺方向に向かってスライド可能に装着されている。
【００６８】
操作ノブ１１は、図１３に示すように、上側ノブ部材１１Ａと下側ノブ部材１１Ｂとで水平フィン１０を挟んで相互に弾性係止することにより、水平フィン１０にスライド可能に装着される。下側ノブ部材１１Ｂの背部には、第１ギア部３５が形成されている。
【００６９】
複数の垂直フィン１２の内、中央の垂直フィン１２（図８参照）には、第２ギア部３６が一体に形成されており、かかる第２ギア部３６の各ギア歯は、第１ギア部３５の各ギア歯に噛合されている。これより、操作ノブ１１を水平フィン１０の長尺方向に沿ってスライドさせると、下側ノブ部材１１Ｂに形成された第１ギア部３５の各ギア歯と垂直フィン１２に形成された第２ギア部３６の各ギア歯との噛合に基づき、各垂直フィン１２を同期して左右方向に回動させる。
【００７０】
図８、図１３に示すように、操作ノブ１１が装着される水平フィン１０の前端部には第５磁性シート３７が貼付され、また、操作ノブ１１の内部にて壁部１１Ｃには、第５磁性シート３７に離間対向するように第６磁性シート３８が貼付されている。
尚、第５磁性シート３７及び第６磁性シート３８は、前記した第１磁性シート２６、第２磁性シート２８と同様に、所定着磁ピッチＰでＮ極とＳ極が交互に形成されている。
【００７１】
第６磁性シート３８は、図１５に示すように、その両端部３８Ａは、下側ノブ部材１１Ｂの壁部１１Ｃに貼付されることなく、若干屈曲された自由端にされて可動状態にされている。両端部３８Ａ間の固定部３８Ｂは壁部１１Ｃに貼付されている。
【００７２】
前記構成において、操作ノブ１１を左右方向に操作して各垂直フィン１２を左右方向に回動させると、これに伴って操作ノブ１１内部における壁部１１Ｃに貼付された第６磁性シート３８は、水平フィン１０の前端縁に貼付された第５磁性シート３７と離間対向しつつ移動される。
【００７３】
このとき、第５磁性シート３７のＮ極又はＳ極と第６磁性シート３８のＳ極又はＮ極とが対向する状態（以下第５状態と称する）では、第５磁性シート３７と第６磁性シート３８との間に磁性吸引力が発生するので、第６磁性シート３８の両端部３８Ａは、図１４に示すように第５磁性シート３７に磁性吸着される。この状態では、操作ノブ１１は、安定的に保持されている。
【００７４】
これに対して、操作ノブ１１がスライド操作されることにより、前記第５状態から第５磁性シートの３７のＮ極又はＳ極と第６磁性シート３８のＮ極又はＳ極とが対向する状態（以下第６状態と称する）に到達すると、かかる第６状態では、第５磁性シート３７と第６磁性シート３８との間に磁性反発力が発生するので、第６磁性シート３８の両端部３８Ａは、図１５に示すように第５磁性シート３７から反発離間される。
【００７５】
このように、操作ノブ１１を左右方向にスライドする動作を行うと、前記した第５状態と第６状態とが連続的に交互に繰り返されることとなる。このとき、前記したように、第５状態にて第５磁性シート３７と第６磁性シート３８との間で発生する磁性吸引力、及び、第６状態で第５磁性シート３７と第６磁性シート３８との間で発生する磁性反発力との変化が連続的に発生することに基づき、操作ノブ１１にはクリック感が付与される。
【００７６】
これにより、水平フィン１０の前端部と操作ノブ１１の内部における壁部１１Ｃとに第５磁性シート３７と第６磁性シート３８とが相互に対向するように第５磁性シート３７及び第６磁性シート３８を貼付するだけの極めて簡単な構成により、操作ノブ１１のスライド操作時に操作ノブ１１に対して明確なクリック感を付与することができる。
また、操作ノブ１１のスライド操作時、操作ノブ１１は、第５磁性シート３７のＮ極又はＳ極と第６磁性シート３８のＳ極又はＮ極とが対向している第５状態で第５磁性シート３７と第６磁性シート３８との間に発生する磁性吸引力に基づき安定保持されているので、磁性吸引力に基づき操作ノブ１１の操作荷重を適正且つ容易に設定することができる。
【００７７】
また、第６磁性シート３８の両端部３８Ａは、操作ノブ１１の壁部１１Ｃに貼付されることなく可動状態にされているので、第５磁性シート３７のＮ極又はＳ極と第６磁性シート３８のＮ極又はＳ極とが対向する第６状態では、第６磁性シート３８の両端部３８Ａと第５磁性シート３７との間には磁性反発力が作用し、第６磁性シート３８の両端部３８Ａは第５磁性シート３７から離間した状態にある。かかる状態から操作ノブ１１をスライドさせて第５磁性シート３７のＮ極又はＳ極と第６磁性シート３８のＳ極又はＮ極とが対向する第５状態に移行すると、第６磁性シート３８の両端部３８Ａは、磁性吸引力に基づき第５磁性シート３７に衝突吸着される。この時、第６磁性シート３８の両端部３８Ａと第５磁性シート３７との間で衝突音が発生する。従って、操作ノブ１１のスライドに基づき第５磁性シート３７と第６磁性シート３８との間で連続的に第５状態と第６状態とを繰り返すことにより、前記したように操作ノブ１１には連続的にクリック感が付与されると同時に第６磁性シート３８の両端部３８Ａが第５磁性シート３７に衝突する衝突音による操作音を発生付与することができる。
【００７８】
次に、第２実施形態に係るレジスタについて図１６乃至図１８に基づき説明する。第２実施形態に係るレジスタは、基本的に前記第１実施形態に係るレジスタ１と同一の構成を有しており、第１実施形態と比較して、リテーナの第２円弧状壁部に取り付けられる第２磁性シートの取付形態が異なるだけである。よって、以下においては、第１実施形態の構成と異なる点に着目して説明するとともに、第１実施形態における各構成部材等については同一の番号を付して説明する。
【００７９】
図１６において、ノブプレート７の第１円弧状壁部２３の内周面には、第１実施形態の場合と同様、第１磁性シート２６が貼付されている。また、リテーナ５の第２円弧状壁部２７には、図１７に示すように、２つのシート挿通孔４０、４０が形成され、各シート挿通孔４０には、第２磁性シート２８が図１６乃至図１８に示すように挿通されている。各シート挿通孔４０、４０から第１磁性シート２６側に延びる第２磁性シート２８の両端部２８Ａは、図１８に示すように、屈曲された状態で第１磁性シート２６とから離間されている。このように、各両端部２８Ａは、第２円弧状壁部２７の外周面に貼付されることなく、若干屈曲された自由端にされて可動状態にされている。第２磁性シート２８において、両端部２８Ａ、２８Ａの間に存在する固定部２８Ｂは、第２円弧状壁部２７の内周面に貼付されている。
【００８０】
前記したノブプレート７の下方向及び上方向の回動動作に伴う一連の動作中において、ノブプレート７に形成された第１円弧状壁部２３の内周面に貼付された第１磁性シート２６は、リテーナ５の側壁１４に突出形成された第２円弧状壁部２７に取り付けられた第２磁性シート２８の各両端部２８Ａと相互に離間した状態で、円周方向に移動する。
【００８１】
このとき、第１磁性シート２６のＮ極又はＳ極と第２磁性シート２８における各両端部２８ＡのＳ極又はＮ極とが対向する第１状態では、第１磁性シート２６と第２磁性シート２８の各両端部２８Ａとの間に磁性吸引力が発生するので、第２磁性シート２８の両端部２８Ａ、２８Ａは、図１７に示すように第１磁性シート２６に磁性吸着される。この状態では、ノブプレート７は、安定的に保持されている。
【００８２】
これに対して、ノブプレート７が回動操作されることにより、前記第１状態から第１磁性シートの２６のＮ極又はＳ極と第２磁性シート２８における各両端部２８ＡのＮ極又はＳ極とが対向する第２状態に到達すると、かかる第２状態では、第１磁性シート２６と第２磁性シート２８の各両端部２８Ａとの間に磁性反発力が発生するので、第２磁性シート２８の両端部２８Ａ、２８Ａは、図１８に示すように第１磁性シート２６から反発離間される。
【００８３】
ダンパプレート１３の開閉動作を行う際に、ノブプレート７の回動操作を行うと、前記した第１状態と第２状態とが連続的に交互に繰り返されることとなる。このとき、前記したように、第１状態にて第１磁性シート２６と第２磁性シート２８の各両端部２８Ａとの間で発生する磁性吸引力、及び、第２状態にて第１磁性シート２６と第２磁性シート２８の各両端部２８Ａとの間で発生する磁性反発力との変化が連続的に発生することに基づき、ノブプレート７にはクリック感が付与される。
【００８４】
これにより、第１磁性シート２６と第２磁性シート２８の各両端部２８Ａとが相互に離間対向するように、ノブプレート７の第１円弧状壁部２３の内周面に第１磁性シート２６を貼付するとともに、リテーナ５の側壁１４に突出形成される第２円弧状壁部２７に第２磁性シート２８を取り付けるだけの極めて簡単な構成により、ダンパプレート１３を回動させるべくノブプレート７を回転操作する際に、ノブプレート７に対して明確なクリック感を付与することができる。
【００８５】
また、ノブプレート７の回動操作時、ノブプレート７は、第１磁性シート２６のＮ極又はＳ極と第２磁性シート２８における各両端部２８ＡのＳ極又はＮ極とが対向している第１状態で第１磁性シート２６と第２磁性シート２８との間に発生する磁性吸引力に基づき安定保持されているので、磁性吸引力に基づきノブプレート７の操作荷重を適正且つ容易に設定することができる。
【００８６】
更に、リテーナ５の第２円弧状壁部２７の外周面に取り付けられた第２磁性シート２８の両端部２８Ａ、２８Ａは、第２円弧状壁部２７に貼付されることなく可動状態にされているので、第１磁性シート２６のＮ極又はＳ極と第２磁性シート２８における各両端部２８ＡのＮ極又はＳ極とが対向する第２状態では、第２磁性シート２８の各両端部２８Ａと第１磁性シート２６との間には磁性反発力が作用し、第２磁性シート２８の各両端部２８Ａは第１磁性シート２６から離間した状態にある。かかる状態からノブプレート７を回動させて第１磁性シート２６のＮ極又はＳ極と第２磁性シート２８における各両端部２８ＡのＳ極又はＮ極とが対向する第１状態に移行すると、第２磁性シート２８の各両端部２８Ａは、磁性吸引力に基づき第１磁性シート２６に衝突吸着される。この時、第２磁性シート２８の各両端部２８Ａと第１磁性シート２６との間で衝突音が発生する。従って、ノブプレート７の回動に基づき第１磁性シート２６と第２磁性シート２８との間で連続的に第１状態と第２状態とを繰り返すことにより、前記したようにノブプレート７には連続的にクリック感が付与されると同時に第２磁性シート２８の各両端部２８Ａが第１磁性シート２６に衝突する衝突音による操作音を発生付与することができる。
【００８７】
次に、第３実施形態に係るレジスタについて図１９乃至図２１に基づき説明する。第３実施形態に係るレジスタは、基本的に前記第１実施形態に係るレジスタ１と同一の構成を有しており、第１実施形態と比較して、リテーナの第２円弧状壁部に取り付けられる第２磁性シートの取付形態が異なるだけである。よって、以下においては、第１実施形態の構成と異なる点に着目して説明するとともに、第１実施形態における各構成部材等については同一の番号を付して説明する。
【００８８】
図１９において、ノブプレート７の第１円弧状壁部２３の内周面には、第１実施形態の場合と同様、第１磁性シート２６が貼付されている。また、リテーナ５の第２円弧状壁部２７の外周面には、図２０、図２１に示すように、凹部４１が形成されている。第２磁性シート２８は、その両端部２８Ａ、２８Ａが凹部４１内で貼付されるとともに、各両端部２８Ａ間に存在する中間部２８Ｃが第２円弧状壁部２７の外周面に貼付されることなく外周面から若干湾曲離間するように、第２円弧状壁部２７に取り付けられている。このように、第２磁性シート２８の中間部２８Ｃは、第２円弧状壁部２７の外周面に貼付されることなく、若干湾曲されて可動状態にされている。
【００８９】
前記したノブプレート７の下方向及び上方向の回動動作に伴う一連の動作中において、ノブプレート７に形成された第１円弧状壁部２３の内周面に貼付された第１磁性シート２６は、リテーナ５の側壁１４に突出形成された第２円弧状壁部２７に取り付けられた第２磁性シート２８の中間部２８Ｃと相互に離間した状態で、円周方向に移動する。
【００９０】
このとき、第１磁性シート２６のＮ極又はＳ極と第２磁性シート２８における各両端部２８Ａにおける中間部２８ＣのＳ極又はＮ極とが対向する第１状態では、第１磁性シート２６と第２磁性シート２８の中間部２８Ｃとの間に磁性吸引力が発生するので、第２磁性シート２８の中間部２８Ｃは、図２０に示すように第１磁性シート２６に磁性吸着される。この状態では、ノブプレート７は、安定的に保持されている。
【００９１】
これに対して、ノブプレート７が回動操作されることにより、前記第１状態から第１磁性シートの２６のＮ極又はＳ極と第２磁性シート２８における中間部２８ＣのＮ極又はＳ極とが対向する第２状態に到達すると、かかる第２状態では、第１磁性シート２６と第２磁性シート２８の中間部２８Ｃとの間に磁性反発力が発生するので、第２磁性シート２８の中間部２８Ｃは、図２１に示すように第１磁性シート２６から反発離間される。
【００９２】
ダンパプレート１３の開閉動作を行う際に、ノブプレート７の回動操作を行うと、前記した第１状態と第２状態とが連続的に交互に繰り返されることとなる。このとき、前記したように、第１状態にて第１磁性シート２６と第２磁性シート２８の中間部２８Ｃとの間で発生する磁性吸引力、及び、第２状態にて第１磁性シート２６と第２磁性シート２８の中間部２８Ｃとの間で発生する磁性反発力との変化が連続的に発生することに基づき、ノブプレート７にはクリック感が付与される。
【００９３】
これにより、第１磁性シート２６と第２磁性シート２８の中間部２８Ｃとが相互に離間対向するように、ノブプレート７の第１円弧状壁部２３の内周面に第１磁性シート２６を貼付するとともに、リテーナ５の側壁１４に突出形成される第２円弧状壁部２７の凹部４１に第２磁性シート２８を貼付するだけの極めて簡単な構成により、ダンパプレート１３を回動させるべくノブプレート７を回転操作する際に、ノブプレート７に対して明確なクリック感を付与することができる。
【００９４】
また、ノブプレート７の回動操作時、ノブプレート７は、第１磁性シート２６のＮ極又はＳ極と第２磁性シート２８における中間部２８ＣのＳ極又はＮ極とが対向している第１状態で第１磁性シート２６と第２磁性シート２８との間に発生する磁性吸引力に基づき安定保持されているので、磁性吸引力に基づきノブプレート７の操作荷重を適正且つ容易に設定することができる。
【００９５】
更に、リテーナ５の第２円弧状壁部２７の外周面に貼付された第２磁性シート２８の中間部２８Ｃは、第２円弧状壁部２７に貼付されることなく可動状態にされているので、第１磁性シート２６のＮ極又はＳ極と第２磁性シート２８における中間部２８ＣのＮ極又はＳ極とが対向する第２状態では、第２磁性シート２８の中間部２８Ｃと第１磁性シート２６との間には磁性反発力が作用し、第２磁性シート２８の中間部２８Ｃは第１磁性シート２６から離間した状態にある。かかる状態からノブプレート７を回動させて第１磁性シート２６のＮ極又はＳ極と第２磁性シート２８における中間部２８ＣのＳ極又はＮ極とが対向する第１状態に移行すると、第２磁性シート２８の中間部２８Ｃは、磁性吸引力に基づき第１磁性シート２６に衝突吸着される。この時、第２磁性シート２８の中間部２８Ｃと第１磁性シート２６との間で衝突音が発生する。従って、ノブプレート７の回動に基づき第１磁性シート２６と第２磁性シート２８との間で連続的に第１状態と第２状態とを繰り返すことにより、前記したようにノブプレート７には連続的にクリック感が付与されると同時に第２磁性シート２８の中間部２８Ｃが第１磁性シート２６に衝突する衝突音による操作音を発生付与することができる。
【００９６】
次に、第４実施形態に係るレジスタについて図２２乃至図２５に基づき説明する。第４実施形態に係るレジスタは、基本的に前記第１実施形態に係るレジスタ１と同一の構成を有しており、第１実施形態と比較して、ノブプレートに対する第１磁性シート及びリテーナに対する第２磁性シートの取付態様が異なるだけである。よって、以下においては、第１実施形態の構成と異なる点に着目して説明するとともに、第１実施形態における各構成部材等については同一の番号を付して説明する。
【００９７】
図２２において、ノブプレート７の第１円弧状壁部２３の下面（内側面）には、第１磁性シート２６が貼付されている。また、リテーナ５の側壁１４にてノブプレート７と対向して形成された第３円弧状壁部４２の上面（外側面）には、第２磁性シート２８が貼付されている。
尚、第１磁性シート２６及び第２磁性シート２８は、図２３に示すように、ノブプレート７が回動されることに対応して、同一の曲率を有する円弧形状に形成されており、第１磁性シート２６は第２磁性シート２８よりも短く形成されている。
【００９８】
第１磁性シート２６は、固定部２６Ａで第１円弧状壁部２３の下面に貼付されており、残余の端部２６Ｂは、図２５に示すように、屈曲された状態で第２磁性シート２８とから離間されている。このように、第１磁性シート２６の端部２６Ｂは、第１円弧状壁部２３の下面に貼付されることなく、若干屈曲された自由端にされて可動状態にされている。
【００９９】
前記したノブプレート７の下方向及び上方向の回動動作に伴う一連の動作中において、ノブプレート７に形成された第１円弧状壁部２３の下面に貼付された第１磁性シート２６は、リテーナ５の側壁１４に突出形成された第３円弧状壁部４２に取り付けられた第２磁性シート２８と相互に離間した状態で、円周方向に移動する。
【０１００】
このとき、第１磁性シート２６の端部２６ＢのＮ極又はＳ極と第２磁性シート２８のＳ極又はＮ極とが対向する第１状態では、第１磁性シート２６の端部２６Ｂと第２磁性シート２８との間に磁性吸引力が発生するので、第１磁性シート２６の端部２６Ｂは、図２４に示すように第２磁性シート２８に磁性吸着される。この状態では、ノブプレート７は、安定的に保持されている。
【０１０１】
これに対して、ノブプレート７が回動操作されることにより、前記第１状態から第１磁性シート２６における端部２６ＢのＮ極又はＳ極と第２磁性シート２８のＮ極又はＳ極とが対向する第２状態に到達すると、かかる第２状態では、第１磁性シート２６の端部２６Ｂと第２磁性シート２８との間に磁性反発力が発生するので、第１磁性シート２６の端部２６Ｂは、図２５に示すように第２磁性シート２８から反発離間される。
【０１０２】
ダンパプレート１３の開閉動作を行う際に、ノブプレート７の回動操作を行うと、前記した第１状態と第２状態とが連続的に交互に繰り返されることとなる。このとき、前記したように、第１状態にて第１磁性シート２６の端部２６Ｂと第２磁性シート２８との間で発生する磁性吸引力、及び、第２状態にて第１磁性シート２６の端部２６Ｂと第２磁性シート２８との間で発生する磁性反発力との変化が連続的に発生することに基づき、ノブプレート７にはクリック感が付与される。
【０１０３】
これにより、第１磁性シート２６の端部２６Ｂと第２磁性シート２８とが相互に離間対向するように、ノブプレート７の第１円弧状壁部２３の下面に第１磁性シート２６を貼付するとともに、リテーナ５の側壁１４に突出形成される第３円弧状壁部４２に第２磁性シート２８を貼付するだけの極めて簡単な構成により、ダンパプレート１３を回動させるべくノブプレート７を回転操作する際に、ノブプレート７に対して明確なクリック感を付与することができる。
【０１０４】
また、ノブプレート７の回動操作時、ノブプレート７は、第１磁性シート２６のＮ極又はＳ極と第２磁性シート２８のＳ極又はＮ極とが対向している第１状態で第１磁性シート２６と第２磁性シート２８との間に発生する磁性吸引力に基づき安定保持されているので、磁性吸引力に基づきノブプレート７の操作荷重を適正且つ容易に設定することができる。
【０１０５】
更に、ノブプレート７の第１円弧状壁部２３の下面に貼付された第１磁性シート２６の端部２６Ｂは、第１円弧状壁部２３に貼付されることなく可動状態にされているので、第１磁性シート２６における端部２６ＢのＮ極又はＳ極と第２磁性シート２８のＮ極又はＳ極とが対向する第２状態では、第２磁性シート２８と第１磁性シート２６との間には磁性反発力が作用し、第１磁性シート２６の端部２６Ｂは第２磁性シート２８から離間した状態にある。かかる状態からノブプレート７を回動させて第１磁性シート２６における端部２６ＢのＮ極又はＳ極と第２磁性シート２８のＳ極又はＮ極とが対向する第１状態に移行すると、第１磁性シート２６の端部２６Ｂは、磁性吸引力に基づき第２磁性シート２８に衝突吸着される。この時、第１磁性シート２６の端部２６Ｂと第２磁性シート２８との間で衝突音が発生する。従って、ノブプレート７の回動に基づき第１磁性シート２６と第２磁性シート２８との間で連続的に第１状態と第２状態とを繰り返すことにより、前記したようにノブプレート７にはクリック感が付与されると同時に第１磁性シート２６の端部２６Ｂが第２磁性シート２８に衝突する衝突音による操作音を発生付与することができる。
【０１０６】
ここに、前記した第１実施形態乃至第３実施形態に係るレジスタ１では、第１磁性シート２６は第１円弧状壁部２３の内周面に取り付けられるとともに、第２磁性シート２８は第２円弧状壁部２７の外周面に取り付けられ、第１磁性シート２６と第２磁性シート２８は相互に離間対向されており、また、第４実施形態に係るレジスタ１では、第１円弧状壁部２３の内側面に対向してリテーナ５に形成された第３円弧状壁部４２を備え、第１磁性シート２６は第１円弧状壁部２３の内側面に取り付けられるとともに、第２磁性シート２８は第３円弧状壁部４２の外側面に取り付けられ、第１磁性シート２６と第２磁性シート２８は相互に離間対向されている。いずれのレジスタにおいても、ノブプレート７側の第１磁性シート２６とリテーナ５側の第２磁性シート２８とを相互に離間対向して配置するにつき、最適な取付位置にて第１磁性シート２６と第２磁性シート２８とを配置することができ、これによりレジスタ１における他の構成に影響を与えることはない。
【０１０７】
続いて、操作ノブ１１を上下方向に操作して水平フィン１０を回動操作する際に、その回動操作に伴って操作ノブ１１にクリック感を発生する構成に係る第５実施形態について図２６乃至図２８に基づき説明する。
尚、第５実施形態に係るクリック感発生機構は、基本的に前記第１実施形態にて図８乃至図１５に基づき説明したクリック感発生機構と同様の構成を有しており、第１実施形態のクリック感発生機構と比較して、第３磁性シート及び第４磁性シートの取付態様が異なるだけである。よって、以下においては、第１実施形態の構成と異なる点に着目して説明するとともに、第１実施形態における各構成部材等については同一の番号を付して説明する。
【０１０８】
図２６において、リテーナ５の前面開口の両側には、一対の支持壁３０、３０が設けられており、各水平フィン１０の支持軸３１が各支持壁３０、３０に回動可能に支持されている。複数の水平フィン１０の内、操作ノブ１１が取り付けられた水平フィン１０の支持軸３１を回動可能に支持する一方の支持壁３０（図２６中右側の支持壁）には、その内側面に第３磁性シート３３が貼付されている。
【０１０９】
また、各水平フィン１０には、図２６中右側端部に切欠部４３が形成されており、各水平フィン１０の切欠部４３には、軸部４４が突設されている。各水平フィン１０の軸部４４は、リンク板４５の支持孔内に回動可能に支持されている。ここに、リンク板４５は、操作ノブ１１を上下方向に回動した際に、複数個の各水平フィン１０を同期して上下方向に回動するものであり、かかるリンク板４５の右側面には、第４磁性シート３４が貼付されている。
【０１１０】
第３磁性シート３３と第４磁性シート３４とは、図２６に示すように、相互に離間対向している。
尚、第３磁性シート３３及び第４磁性シート３４は、前記した第１磁性シート２６、第２磁性シート２８と同様に、所定着磁ピッチＰでＮ極とＳ極が交互に形成されている。
【０１１１】
第４磁性シート３４において、図２８に示すように、その一端部３４Ａ（図２７、図２８中下側部）は、リンク板４５の右側面に貼付されることなく、若干屈曲された自由端にされて可動状態にされている。一端部３４Ａ以外の残余の固定部３４Ｂはリンク板４５の側面に貼付されている。
【０１１２】
前記構成において、操作ノブ１１を上下方向に操作して水平フィン１０を上下方向に回動させると、これに同期してリンク板４５も上下方向に回動される。これに伴い、リンク板４５に貼付された第４磁性シート３４は、支持壁３０の内側面に貼付された第３磁性シート３３と離間対向しつつ移動される。
【０１１３】
このとき、第３磁性シート３３のＮ極又はＳ極と第４磁性シート３４における一端部３４ＡのＳ極又はＮ極とが対向する第３状態では、第３磁性シート３３と第４磁性シート３４の一端部３４Ａとの間に磁性吸引が発生するので、第４磁性シート３４の一端部３４Ａは、図２７に示すように第３磁性シート３３に磁性吸着される。この状態では、操作ノブ１１は、安定的に保持されている。
【０１１４】
これに対して、操作ノブ１１が回動操作されることにより、前記第３状態から第３磁性シートの３３のＮ極又はＳ極と第４磁性シート３４における一端部３４ＡのＮ極又はＳ極とが対向する第４状態に到達すると、かかる第４状態では、第３磁性シート３３と第４磁性シート３４との間に磁性反発力が発生するので、第４磁性シート３４の一端部３４Ａは、図２８に示すように第３磁性シート３３から反発離間される。
【０１１５】
このように、操作ノブ１１を上下方向に回動する動作を行うと、前記した第３状態と第４状態とが連続的に交互に繰り返されることとなる。このとき、前記したように、第３状態にて第３磁性シート３３と第４磁性シート３４との間で発生する磁性吸引力、及び、第４状態で第３磁性シート３３と第４磁性シート３４との間で発生する磁性反発力との変化が連続的に発生することに基づき、操作ノブ１１には連続的にクリック感が付与される。
【０１１６】
これにより、リテーナ５の支持壁３０の内側面とリンク板４５の右側面とに第３磁性シート３３と第４磁性シート３４とが相互に対向するように第３磁性シート３３及び第４磁性シート３４を貼付するだけの極めて簡単な構成により、水平フィン１０の回動操作時に水平フィン１０から操作ノブ１１に対して明確なクリック感を付与することができる。
また、操作ノブ１１による水平フィン１０の回動時、リンク板４５は、第３磁性シート３３のＮ極又はＳ極と第４磁性シート３４のＳ極又はＮ極とが対向している第３状態で第３磁性シート３３と第４磁性シート３４との間に発生する磁性吸引力に基づき安定保持されているので、磁性吸引力に基づき操作ノブ１１による水平フィン１０の操作荷重を適正且つ容易に設定することができる。
【０１１７】
また、第４磁性シート３４の一端部３４Ａは、リンク板４５に貼付されることなく可動状態にされているので、第３磁性シート３３のＮ極又はＳ極と第４磁性シート３４のＮ極又はＳ極とが対向する第４状態では、第４磁性シート３４の一端部３４Ａと第３磁性シート３３との間には磁性反発力が作用し、第４磁性シート３４の一端部３４Ａは第３磁性シート３３から離間した状態にある。かかる状態から操作ノブ１１を介して水平フィン１０を回動させて第３磁性シート３３のＮ極又はＳ極と第４磁性シート３４のＳ極又はＮ極とが対向する第３状態に移行すると、第４磁性シート３４の一端部３４Ａは、磁性吸引力に基づき第３磁性シート３３に衝突吸着される。この時、第４磁性シート３４の一端部３４Ａと第３磁性シート３３との間で衝突音が発生する。従って、水平フィン１０の回動に基づき第３磁性シート３３と第４磁性シート３４との間で連続的に第３状態と第４状態とを繰り返すことにより、前記したように水平フィン１０から操作ノブ１１にはクリック感が付与されると同時に第４磁性シート３４の一端部３４Ａが第３磁性シート３３に衝突する衝突音による操作音を発生付与することができる。
【０１１８】
尚、本発明は前記各実施形態に限定されるものではなく、本発明の要旨を逸脱しない範囲内で種々の改良、変形が可能であることは勿論である。
【符号の説明】
【０１１９】
１                レジスタ
４                通風路
５                リテーナ
７                ノブプレート
１０              水平フィン
１１              操作ノブ
１２              垂直フィン
１３              ダンパプレート
１４              側壁
１５              保持部材
１９              リンク部材
２３              第１円弧状壁部
２６              第１磁性シート
２７              第２円弧状壁部
２８              第２磁性シート
２８Ａ            第２磁性シートの端部
３０              支持壁
３２              板状部材
３３              第３磁性シート
３４              第４磁性シート
３４Ａ            第４字形シートの端部
３７              第５磁性シート
３８              第６磁性シート
３８Ａ            第６磁性シートの端部
４２              第３円弧状壁部
４５              リンク板
Ｐ                着磁ピッチ
【図１】
2015147561.tif 000003
【図２】
2015147561.tif 000004
【図３】
2015147561.tif 000005
【図４】
2015147561.tif 000006
【図５】
2015147561.tif 000007
【図６】
2015147561.tif 000008
【図７】
2015147561.tif 000009
【図８】
2015147561.tif 000010
【図９】
2015147561.tif 000011
【図１０】
2015147561.tif 000012
【図１１】
2015147561.tif 000013
【図１２】
2015147561.tif 000014
【図１３】
2015147561.tif 000015
【図１４】
2015147561.tif 000016
【図１５】
2015147561.tif 000017
【図１６】
2015147561.tif 000018
【図１７】
2015147561.tif 000019
【図１８】
2015147561.tif 000020
【図１９】
2015147561.tif 000021
【図２０】
2015147561.tif 000022
【図２１】
2015147561.tif 000023
【図２２】
2015147561.tif 000024
【図２３】
2015147561.tif 000025
【図２４】
2015147561.tif 000026
【図２５】
2015147561.tif 000027
【図２６】
2015147561.tif 000028
【図２７】
2015147561.tif 000029
【図２８】
2015147561.tif 000030